(57)【要約】      （修正有）【課題】任意に折り重ねて様々な角度を形成し、使い勝手を向上させるモバイル機器変形保護カバーを提供する。【解決手段】モバイル機器変形保護カバーは、カバー外層１、内板群２及び磁石群３を備える。カバー外層１は、外革１１、内革１２及び帯状挟持部１３を含む。外革及び内革は長方形の形状を有し、外革は、内革の一側面に貼り合わされる。帯状挟持部の両端は、内革の他方の側面の長辺縁部に固定され、帯状挟持部の中間部と内革との間に、モバイル機器が挟持される。外革と内革との間に、内板群及び磁石群が配設され、内板群は複数の内板２１を含む。各内板は、帯状挟持部に対して平行である上、外革と内革との間に等間隔で配置される。磁石群は、複数の磁石３１を含む。各内板間には凹部が設けられ、カバー外層は凹部で折り重ねられて磁石で吸着され、変形可能となる。【選択図】図１
0003194429.tif 000002
【実用新案登録請求の範囲】
【請求項１】
カバー外層、内板群及び磁石群を備えたモバイル機器変形保護カバーであって、
上記カバー外層は、外革、内革及び帯状挟持部を含み、外革及び内革は長方形の形状を有し、外革は内革の一側面に貼り合わされ、帯状挟持部の両端は、内革の他方の側面の長辺縁部に固定され、帯状挟持部の中間部と内革との間にはモバイル機器が挟持され、外革と内革との間には内板群及び磁石群が配設され、
上記内板群は複数の内板を含み、各内板はカバー外層の帯状挟持部に対して平行である上、外革と内革との間に等間隔で配置され、
上記磁石群は複数の磁石を含み、各磁石は外革と内革との間に配設されるとともに、各内板群の内板の両端に対応し、
上記カバー外層の各内板間には、外革と内革とが貼り合わされて形成された凹部が設けられ、カバー外層が各凹部で折り重ねられて磁石で吸着され、カバー外層の形状を任意に変化させることを特徴とするモバイル機器変形保護カバー。
【請求項２】
カバー外層の外革は革材料からなることを特徴とする請求項１に記載のモバイル機器変形保護カバー。
【請求項３】
カバー外層の内革はパイル布からなることを特徴とする請求項１に記載のモバイル機器変形保護カバー。
【請求項４】
カバー外層には、第１のブロック、第２のブロック、第３のブロック、第４のブロック、第５のブロック、第６のブロック、第７のブロック、第８のブロック、第９のブロック及び第１０のブロックが形成され、各ブロックの外革と内革との中には、それぞれ内板が設けられ、各内板の両端に設けられた２つの磁石が互いに対応することを特徴とする請求項１に記載のモバイル機器変形保護カバー。
【請求項５】
第１のブロックから第１０のブロックの内板の幅寸法の比率は、順次４：４：２：２：４：５：１：１：１：１であることを特徴とする請求項４に記載のモバイル機器変形保護カバー。
【請求項６】
カバー外層の帯状挟持部は、第６のブロックに設けられていることを特徴とする請求項４に記載のモバイル機器変形保護カバー。
【請求項７】
カバー外層の表面には、キーボードが配設されていることを特徴とする請求項１に記載のモバイル機器変形保護カバー。
【請求項８】
キーボードの底面には、磁気吸引効果を有する金属材料、又は磁石が設けられ、
キーボードが磁石により吸着されることを特徴とする請求項７に記載のモバイル機器変形保護カバー。
【考案の詳細な説明】
【技術分野】
【０００１】
本考案は、モバイル機器変形保護カバーに関し、特に、モバイル機器（タブレット型パソコン、携帯電話など）を収納して容易に携帯することができる保護カバーに関する。
【背景技術】
【０００２】
科学技術の急速な発展に伴い、先進国ではモバイル機器を１人々々が保有することは一般的なこととなってきている。しかし携帯電話、タブレット型パソコンなどのモバイル機器は、水滴が触れたり落としたりして壊れてしまうことを防ぐために、本体の筐体の外側を保護カバーにより覆うことが一般的である。保護カバーは、柔らかい袋状革カバー又は矩形状ケースからなることが一般的であり、上述の袋状革カバーとは、従来のタブレット型パソコンの保護カバーであり、実際に使用する際、タブレット型パソコンを収納する機能しか備えていないため、ユーザは見たり操作したりする際、モバイル機器を取り出さなければならず、非常に不便であった。
【０００３】
また、上述した矩形状ケースは、モバイル機器の外側を覆ってスクリーンを露出させることができる上、矩形状カバーの外側が、柔らかい革からなるモバイル機器の保護カバーの革カバーにより覆われているものもある。保護カバーの革カバーを実際に使用する際、モバイル機器を一つだけの角度でしか支持して収納することができないため、ユーザがモバイル機器を実際に使用する際、その角度でしか見たり操作したりすることができず、明るさ又は位置に応じて角度を調整することは非常に困難であった。
【考案の概要】
【考案が解決しようとする課題】
【０００４】
本考案の目的は、任意に折り重ねて様々な角度を形成し、使い勝手を向上させるモバイル機器変形保護カバーを提供することにある。
【図面の簡単な説明】
【０００５】
【図１】本考案の一実施形態に係るモバイル機器変形保護カバーを示す斜視図である。
【図２】本考案の一実施形態に係るモバイル機器変形保護カバーを示す部分断面図である。
【図３】本考案の一実施形態に係るモバイル機器変形保護カバーを示す平面図である。
【図４】本考案の一実施形態に係るモバイル機器変形保護カバーを折り重ねたときの状態を示す断面図である。
【図５】本考案の一実施形態に係るモバイル機器変形保護カバーの別の角度からの断面図である。
【図６】本考案の一実施形態に係るモバイル機器変形保護カバーにモバイル機器を収納したときの状態を示す平面図である。
【図７】本考案の一実施形態に係るモバイル機器変形保護カバーにモバイル機器を収納して保護するときの状態を示す断面図である。
【図８】本考案の一実施形態に係るモバイル機器変形保護カバーにモバイル機器を収納して保護した状態の別の角度からの断面図である。
【図９】本考案の一実施形態に係るモバイル機器変形保護カバーに小さめのモバイル機器を収納したときの状態を示す平面図である。
【図１０】本考案の一実施形態に係るモバイル機器変形保護カバーに小さめのモバイル機器を収納して保護したときの状態を示す断面図である。
【図１１】本考案の第１実施形態に係るモバイル機器変形保護カバーにモバイル機器が立設されたときの状態を示す断面図である。
【図１２】本考案の第２実施形態に係るモバイル機器変形保護カバーにモバイル機器が立設されたときの状態を示す断面図である。
【図１３】本考案の第３実施形態に係るモバイル機器変形保護カバーにモバイル機器が立設されたときの状態を示す断面図である。
【図１４】本考案の第４実施形態に係るモバイル機器変形保護カバーにモバイル機器が立設されたときの状態を示す断面図である。
【図１５】本考案の第５実施形態に係るモバイル機器変形保護カバーにモバイル機器が立設されたときの状態を示す断面図である。
【図１６】本考案の第１実施形態に係るモバイル機器変形保護カバーにモバイル機器が立設されたときの状態を示す断面図である。
【考案を実施するための形態】
【０００６】
図１を参照する。図１に示すように、本考案の一実施形態に係るモバイル機器変形保護カバーは、少なくともカバー外層１、内板群２及び磁石群３から構成される。
【０００７】
カバー外層１は、外革１１、内革１２及び帯状挟持部１３を含む。外革１１及び内革１２は、等しい面積を有する長方形の革片である。外革１１は革材料からなる。内革１２はパイル布からなる。外革１１は内革１２の一側面に貼り合わされ、帯状挟持部１３の両端は、内革１２の他方の側面の長辺縁部に固定されている。帯状挟持部１３の中間部と内革１２との間にはモバイル機器が挟持され（図２を併せて参照する）、外革１１と内革１２との間には内板群２及び磁石群３が配設されている。
【０００８】
内板群２は複数の内板２１を含む。各内板２１は、カバー外層１の帯状挟持部１３に対して平行である上、外革１１と内革１２との間に等間隔で配置されている。
【０００９】
磁石群３は複数の磁石３１を含む。各磁石３１は、外革１１と内革１２との間に配設されるとともに、各内板群２の内板２１の両端に対応している。
【００１０】
カバー外層１の各内板２１間には、外革１１と内革１２とが貼り合わされて形成された凹部１４が設けられ、カバー外層１が各凹部１４で折り重ねられて互いに磁石で吸着され、カバー外層１の形状を任意に変化させることができる。
【００１１】
図１及び図３に示すように、本実施形態のモバイル機器変形保護カバーのカバー外層１には、第１のブロックＡ、第２のブロックＢ、第３のブロックＣ、第４のブロックＤ、第５のブロックＥ、第６のブロックＦ、第７のブロックＧ、第８のブロックＨ、第９のブロックＩ及び第１０のブロックＪが形成されている。各ブロックの外革１１と内革１２との中には、それぞれ内板２１が設けられ、内板２１の両端に設けられた２つの磁石３１が互いに対応する。各ブロック間には、凹部１４が形成されている。
また、本実施形態の第１のブロックＡから第１０のブロックＪの内板２１の幅寸法の比率は、順次４：４：２：２：４：５：１：１：１：１である。前述の帯状挟持部１３は第６のブロックＦに設けられている。第１のブロックＡ〜第６のブロックＦは、モバイル機器を覆ったり支持角度を調整したりするために用い、第７のブロックＧ〜第１０のブロックＪは、モバイル機器を当接させて位置を調整するために用いる。以下、カバー外層１の使用状態について説明する。
【００１２】
図４を参照する。図４に示すように、実際に収納する際にカバー外層１を折り重ねる場合、第４のブロックＤと第５のブロックＥとをそれらの間の凹部１４で折り重ね、第３のブロックＣ及び第４のブロックＤを第５のブロックＥに貼り合わせ、第２のブロックＢを第６のブロックＦに貼り合わせ、第１のブロックＡを第７のブロックＧ及び第８のブロックＨに貼り合わせてから、第８のブロックＨと第９のブロックＩとを凹部１４で折り重ね、第９のブロックＩ及び第１０のブロックＪを第１のブロックＡの他方の側部に貼り合わせる。
図５に示すように、互いに貼り合わした各ブロック上の磁石３１が互いに吸着されてカバー外層１の縁部が密着されるため、保護カバーを容易に収納したり携帯したりすることができ（図６参照）、モバイル機器４を収納する際、モバイル機器４が内革１２と帯状挟持部１３との間に挟持されて吸着され（図７及び図８を参照）、その後、上述したのと同様のステップにより折り重ねる。即ち、互いに貼り合わされた各ブロック上の各磁石３１を互いに吸着させてカバー外層１の縁部が密着されると、保護カバー内に収納されたモバイル機器４の携帯が容易となる。
また、図９及び図１０に示すように、サイズが小さめのモバイル機器４を収納する場合、モバイル機器４を内革１２と帯状挟持部１３との間に設置してから、第１のブロックＡと第２のブロックＢとの間の凹部１４でカバー外層１を折り重ねて第１のブロックＡと第２のブロックＢとを貼り合わせてから、第４のブロックＤと第５のブロックＥとをそれらの間の凹部１４で折り重ね、第１のブロックＡ、第２のブロックＢ、第３のブロックＣ及び第４のブロックＤをモバイル機器４の一側に貼り合わせ、第５のブロックＥ及び第６のブロックＦをモバイル機器４の他方の側部に貼り合わせてから、第６のブロックＦと第７のブロックＧとをそれらの間の凹部１４で折り重ね、第７のブロックＧ、第８のブロックＨ、第９のブロックＩ及び第１０のブロックＪを第２のブロックＢ上へ貼り合わせると、互いに貼り合わされた各ブロック上の各磁石３１が互いに吸着され、カバー外層１の縁部を密封すると、サイズが小さめのモバイル機器４が保護カバー内に収納されてユーザは容易に携帯することができる。
【００１３】
以下、カバー外層１を折り重ねて立設させ、モバイル機器４が支持される各種立設状態を説明する。図１及び図１０に示すように、まず、カバー外層１の第１のブロックＡと第２のブロックＢとをそれらの間の凹部１４で折り重ね、第８のブロックＨ、第７のブロックＧ及び第７のブロックＧの一部の内革１２上に、第１のブロックＡの内革１２を貼り合わせ、第３のブロックＣと第４のブロックＤとをそれらの間の凹部１４で折り重ね、第５のブロックＥと第６のブロックＦとをそれらの間の凹部１４で折り重ね、第３のブロックＣと第４のブロックＤとの内革１２が互いに貼り合わされ、第２のブロックＢと、第５のブロックＥと、第６のブロックＦの一部とにより三角形が形成される。
また、第８のブロックＨと第９のブロックＩとはそれらの間の凹部１４により折り重ねられ、第９のブロックＩ、第１０のブロックＪ及び第１のブロックＡの外革１１が互いに貼り合わされると、モバイル機器４の底部が第１０のブロックＪの縁部に当接される。モバイル機器４の背面は、第３のブロックＣ上に当接され、カバー外層１によりモバイル機器４が大きめの角度で支持され、立設される。
【００１４】
図１及び図１２を参照する。図１及び図１２に示すように、本実施形態のモバイル機器変形保護カバーは、まず、カバー外層１の第１のブロックＡと第２のブロックＢとをそれらの間の凹部１４で折り重ね、第１のブロックＡの外革１１を第６のブロックＦの内革１２上へ貼り合わせ、これに伴って第３のブロックＣと第４のブロックＤとをそれらの間の凹部１４で折り重ね、第５のブロックＥと第６のブロックＦとをそれらの間の凹部１４で折り重ね、第３のブロックＣと第４のブロックＤとの内革１２が互いに貼り合わされ、第２のブロックＢ及び第５のブロックＥは、第６のブロックＦ上に位置する第１のブロックＡとともに三角形が形成される。
また、第８のブロックＨと第９のブロックＩとはそれらの間の凹部１４で折り重ねられ、第９のブロックＩ及び第１０のブロックＪと、第７のブロックＧ及び第８のブロックＨとの内革１２を貼り合わせることにより、モバイル機器４の底部が第１０のブロックＪの縁部に当接される。モバイル機器４の背面は、第２のブロックＢ及び第３のブロックＣ上に当接され、カバー外層１がモバイル機器４を大きめの角度で支持して立設し、図１及び図１３に示すように、上述の第９のブロックＩと第１０のブロックＪとを開いた場合、第７のブロックＧ、第８のブロックＨ、第９のブロックＩ及び第１０のブロックＪの内革１２は、着脱式のキーボード５が設置される表面に位置する。
モバイル機器４の底部は、キーボード５の縁部に当接されてもよい。上述のキーボード５の底面は、磁気吸引効果を有する金属材料であるか、磁石を有してもよい。
これにより、内板２１に隣接した磁石３１に吸着されるため、キーボード５は、第７のブロックＧから第１０のブロックＪの表面上に吸着される上（図３を併せて参照する）、カバー外層１上の第１のブロックＡから第１０のブロックＪの何れの表面にもキーボード５が設置され、ブロックに設置された磁石３１によりキーボード５が吸着される。
【００１５】
図１及び図１４に示すもう一つの立設状態では、まず、カバー外層１の第１のブロックＡと第２のブロックＢとをそれらの間の凹部１４で折り重ねてから、第２のブロックＢと第３のブロックＣとをそれらの間の凹部１４で折り重ね、第２のブロックＢの外革１１を第６のブロックＦの内革１２上に貼り合わせ、第４のブロックＤと第５のブロックＥとをそれらの間の凹部１４で折り曲げ、第５のブロックＥと第６のブロックＦとをそれらの間の凹部１４で折り曲げ、第３のブロックＣ及び第４のブロックＤと、第５のブロックＥと、第６のブロックＦ上に位置する第１のブロックＡとにより三角形が形成され、第９のブロックＩと第１０のブロックＪとをそれらの間の凹部１４で折り重ね、第９のブロックＩと第１０のブロックＪとの内革１２を互いに貼り合わせ、これによりモバイル機器４の底部が第１０のブロックＪの縁部に当接される。
モバイル機器４の背面は、第４のブロックＤ上に当接され、カバー外層１によりモバイル機器４を低めの角度で支持して立設する。
【００１６】
また、図１及び図１５に示すさらにもう一つの立設状態では、まず、カバー外層１の第４のブロックＤと第５のブロックＥとをそれらの間の凹部１４で折り重ねてから、第１のブロックＡと第６のブロックＦとの内革１２を互いに貼り合わせるとともに、第４のブロックＤと第５のブロックＥとの内革１２を貼り合わせ、第２のブロックＢと、第３のブロックＣと、第５のブロックＥと、第６のブロックＦの一部とにより、斜辺（即ち第２のブロック）が上を向く直角三角形を形成する。
また、第８のブロックＨと第９のブロックＩとをそれらの間の凹部１４で折り重ね、第９のブロックＩと第１０のブロックＪとをそれらの間の凹部１４で折り重ねて連続したＳ字状に形成し、第８のブロックＨと第９のブロックＩとの内革１２を互いに貼り合わせると、第９のブロックＩは、第１０のブロックＪの外革１１に貼り合わされる。
これにより、モバイル機器４の底部は、第９のブロックＩと第１０のブロックＪとをそれらの間の凹部１４で折り重ね、それらに当接される。モバイル機器４の背面は、第２のブロックＢ上に当接され、カバー外層１によりモバイル機器４をさらに小さい角度で支持して立設する。
また、図１６を併せて参照すると分かるように、上述の第７のブロックＧと第８のブロックＨとをそれらの間の凹部１４で折り重ねると、第９のブロックＩの内革１２が第１のブロックＡの外革１１に貼り合わされ、モバイル機器４の底部が、第９のブロックＩと第１０のブロックＪとがそれらの間の凹部１４で折り重ねられ、それらに当接されるとともに、モバイル機器４の背面が第２のブロックＢに当接されるため、モバイル機器４の角度が僅かに大きくなる。
【００１７】
上述の実施形態から分かるように、本考案の長所は、図１及び図３に示すように、複数の内板２１及び磁石３１により、カバー外層１が各ブロックに形成され、各ブロックを互いに貼り合わせると、磁石３１により吸着されて貼り合わせた面により容易に固定させることができるため、折り重ねる位置及び方向を変えて様々なデザインを形成することができ、そのデザインは上述した内容だけに限定されるだけでなく、例えば、図１４に示す実施形態の場合、第９のブロックＩと第１０のブロックＪとをそれらの間の凹部１４で折り重ね、第９のブロックＩと第１０のブロックＪとの内革１２を互いに貼り合わせ、ユーザが第８のブロックＨと第９のブロックＩとをそれらの間の凹部１４で内方へ折り曲げてから、第９のブロックＩと第１０のブロックＪとをそれらの間の凹部１４を外方へ折り曲げ、第８のブロックＨと第９のブロックＩとの内革１２を互いに貼り合わせると、第９のブロックＩと第１０のブロックＪとの外革１１が互いに貼り合わされ、モバイル機器４の底部が当接される位置により、１つのブロックの位置を調整することができる。
即ち、ユーザが第８のブロックＨと第９のブロックＩとをそれらの間の凹部１４で折り重ねると、第８のブロックＨ及び第９のブロックＩと、第７のブロックＧ及び第１０のブロックＪとの内革１２が互いに貼り合わされ、モバイル機器４の底部を当接させる位置に応じ、２つのブロックの位置を調整し、上述の微調整を行い。これにより、モバイル機器４の角度をさらに調整することができる。
【００１８】
上述したことから分かるように、本考案のモバイル機器変形保護カバーは、カバー外層１の外革１１の革質により防水機能を得て、パイル布からなる内革１２により衝撃緩衝又は滑り止めの機能を得ることができるため、製品全体の価値が高まる。
【符号の説明】
【００１９】
１    カバー外層
２    内板群
３    磁石群
４    モバイル機器
５    キーボード
１１  外革
１２  内革
１３  帯状挟持部
１４  凹部
２１  内板
３１  磁石
Ａ    第１のブロック
Ｂ    第２のブロック
Ｃ    第３のブロック
Ｄ    第４のブロック
Ｅ    第５のブロック
Ｆ    第６のブロック
Ｇ    第７のブロック
Ｈ    第８のブロック
Ｉ    第９のブロック
Ｊ    第１０のブロック
【図１】
0003194429.tif 000003
【図２】
0003194429.tif 000004
【図３】
0003194429.tif 000005
【図４】
0003194429.tif 000006
【図５】
0003194429.tif 000007
【図６】
0003194429.tif 000008
【図７】
0003194429.tif 000009
【図８】
0003194429.tif 000010
【図９】
0003194429.tif 000011
【図１０】
0003194429.tif 000012
【図１１】
0003194429.tif 000013
【図１２】
0003194429.tif 000014
【図１３】
0003194429.tif 000015
【図１４】
0003194429.tif 000016
【図１５】
0003194429.tif 000017
【図１６】
0003194429.tif 000018